(57)【要約】      （修正有）【課題】汚物の後処理が容易な愛玩動物用処理具を提供する、及び片手で開口部の開閉動作を行うことができる愛玩動物用処理具を提供する。【解決手段】開口部１０を有する本体部１２と、前記本体部１２に対して回動可能に装着された把持部１４と、把持部１４の回動に連動して前記本体部１２の開口部１０の開閉を行う蓋部１６と、該蓋部１６の表面側に設けられ、帯状の紙Ａの一端を着脱可能な第１着脱部１８と、前記本体部１２の底面側に設けられ、帯状の紙Ａの他端を着脱可能な第２着脱部とを備えた愛玩動物用汚物処理具であることを特徴とする。【選択図】図５
2005117935.tif 000002
【特許請求の範囲】
【請求項１】
開口部を有する本体部と、
該本体部の開口部の開閉を行う蓋部と、
該蓋部の表面側に設けられ、帯状の紙の一端を着脱可能な第１着脱部と、
前記本体部の底面側に設けられ、帯状の紙の他端を着脱可能な第２着脱部と、
を備えたことを特徴とする愛玩動物用汚物処理具であって、
前記第１着脱部は、その前辺が蓋部の表面に対して接離自在で揺動可能に支持されるとともに、蓋部の表面とともに前記帯状の紙の一端を挟持可能な第１着脱部本体と、該第１着脱部本体の前辺を蓋部の表面側に付勢する付勢手段と、を備えており、
前記第２着脱部は、その前辺が、本体部の底面に対して接離自在で揺動可能に支持されるとともに、本体部の底面とともに前記帯状の紙の他端を挟持可能な第２着脱部本体と、該第２着脱部本体の前辺を本体部の底面側に付勢する付勢手段と、を備えており、
前記第１着脱部及び前記第２着脱部は、前記第１着脱部本体の後端と前記第２着脱部本体の後端を押圧することにより、前記帯状の紙の挟持状態を解除可能に構成されており、前記第１着脱部本体の後端と前記第２着脱部本体の後端の押圧は、片手で同時に行い得るように構成されていることを特徴とする愛玩動物用汚物処理具。
【請求項２】
前記本体部に対して回動可能に装着された把持部をさらに備え、前記蓋部は、前記把持部の回動に連動して前記本体部の開口部の開閉を行うように構成されていることを特徴とする請求項１記載の愛玩動物用汚物処理具。
【請求項３】
前記開口部は、少なくとも本体部の上面の一部を開口するように形成されており、前記蓋部は、前記把持部が前記本体部の前方側に位置する際に前記開口部を閉口させ、前記把持部が前記本体部の後方側に位置する際に前記開口部を開口させるように構成されており、前記把持部は、前記把持部を把持して本体部を持ち上げた際に本体部の前方側に位置するように構成されていることを特徴とする請求項２記載の愛玩動物用汚物処理具。
【請求項４】
前記把持部は、逆Ｕ字状に形成されており、その両側軸の基端部を中心に本体部の両側面に回動可能に支持されており、前記本体部は、前記把持部を支持する位置よりも後方側がその前方側に比し重くなるように構成されていることを特徴とする請求項３記載の愛玩動物用汚物処理具。
【請求項５】
前記蓋部は、その前方側が前記把持部の両側軸に対して回動可能に支持されていることを特徴とする請求項４記載の愛玩動物用汚物処理具。
【請求項６】
少なくとも本体部の上面の一部を開口するように形成された開口部を有する本体部と、
前記本体部に対して回動可能に装着された把持部と、
前記把持部が前記本体部の前方側に位置する際に前記開口部を閉口させ、前記把持部が前記本体部の後方側に位置する際に前記開口部を開口させるように構成された蓋部と、を備え、前記把持部は、前記把持部を把持して本体部を持ち上げた際に本体部の前方側に位置するように構成されていることを特徴とする愛玩動物用汚物処理具。
【請求項７】
前記把持部は、逆Ｕ字状に形成されており、その両側軸の基端部を中心に本体部の両側面に回動可能に支持されており、前記本体部は、前記把持部を支持する位置よりも後方側がその前方側に比し重くなるように構成されていることを特徴とする請求項６記載の愛玩動物用汚物処理具。
【請求項８】
前記蓋部は、その前方側が前記把持部の両側軸に対して回動可能に支持されていることを特徴とする請求項７記載の愛玩動物用汚物処理具。
【発明の詳細な説明】
【技術分野】
【０００１】
本発明は、散歩中の犬など愛玩動物の糞などを処理する愛玩動物用汚物処理具に関する。
【背景技術】
【０００２】
従来から、散歩中の犬など愛玩動物の糞などの処理は、社会的な問題となっており、通常、飼主が、スコップなどで袋に入れて、自宅に持ち帰り、それをトイレなどに流している。
【０００３】
また、近年、様々な愛玩動物用汚物処理具が開発されており、例えば特許文献１に記載されたものがある。この愛玩動物用汚物処理具は、図７に示すように上方及び前方に向かって開口された開口部５０を有する本体部５２と、本体部５２の開口部５０を開閉可能な蓋部５４と、本体部５０に取り付けられ、棒状に形成された把持部５６と、把持部５６に対してスライド可能に設けられたスライド部材５８と、を備え、このスライド部材５８を引くと、蓋部５４が開き、スライド部材５８を押すと、蓋部５４が閉じるように構成されている。この愛玩動物用汚物処理具は、開口部５０から本体部５２内に糞をさせて、それを自宅に持ち帰ってトイレなどに流すことにより使用されている。
【０００４】
【特許文献１】特開平１０−２１５７２１号公報
【発明の開示】
【発明が解決しようとする課題】
【０００５】
しかしながら、袋に入れて持ち帰る場合、及び従来の愛玩動物用汚物処理具に入れて持ち帰る場合のいずれの場合も、そのままトイレに流すことはできず、糞をトイレに流す際に袋又は愛玩動物用汚物処理具から糞を取り出す必要がある。糞を取り出した後は、残糞が袋や愛玩動物用汚物処理具に付着しているため、袋は、その処理に困り、また愛玩動物用汚物処理具は、洗わなければならない。
【０００６】
また、特許文献１の愛玩動物用汚物処理具は、一方の手で把持部５６を持ち、他方の手でスライド部材５８を引くことによって蓋部５４を開くよう構成されているが、通常は、散歩中の愛玩動物のリードなどを持っているため、その作業を行うのが困難であるという問題がある。
【０００７】
そこで、本発明は、汚物の後処理が容易な愛玩動物用処理具を提供することを第１の目的とし、片手で開口部の開閉動作を行うことができる愛玩動物用処理具を提供することを第２の目的とする。
【課題を解決するための手段】
【０００８】
以上の第１の目的を達成するため、本発明は、開口部を有する本体部と、該本体部の開口部の開閉を行う蓋部と、該蓋部の表面側に設けられ、帯状の紙の一端を着脱可能な第１着脱部と、前記本体部の底面側に設けられ、帯状の紙の他端を着脱可能な第２着脱部と、を備えたことを特徴とする愛玩動物用汚物処理具であって、前記第１着脱部は、その前辺が蓋部の表面に対して接離自在で揺動可能に支持されるとともに、蓋部の表面とともに前記帯状の紙の一端を挟持可能な第１着脱部本体と、該第１着脱部本体の前辺を蓋部の表面側に付勢する付勢手段と、を備えており、前記第２着脱部は、その前辺が、本体部の底面に対して接離自在で揺動可能に支持されるとともに、本体部の底面とともに前記帯状の紙の他端を挟持可能な第２着脱部本体と、該第２着脱部本体の前辺を本体部の底面側に付勢する付勢手段と、を備えており、前記第１着脱部及び前記第２着脱部は、前記第１着脱部本体の後端と前記第２着脱部本体の後端を押圧することにより、前記帯状の紙の挟持状態を解除可能に構成されており、前記第１着脱部本体の後端と前記第２着脱部本体の後端の押圧は、片手で同時に行い得るように構成されていることを特徴とするものである。
【０００９】
以上のように、本発明に係る愛玩動物用汚物処理具によれば、第１着脱部と第２着脱部によって、例えば本体部内の内のりの長さを満たす長さの帯状のトイレットペーパを保持させ、本体部内に満たされた帯状のトイレットペーパ上に糞をさせる。糞をトイレに流す際には、例えば開口部を便器に向けて、第１着脱部本体及び第２着脱部本体の後端を片手で同時に押圧することにより、トイレットペーパを第１着脱部と第２着脱部から取外すことができ、糞をトイレットペーパとともにトイレに流すことができるので、汚物の後処理を容易に行うことができる。また、一般家庭用のトイレットペーパを使用するので、便器や配管などを故障させる心配もない。
【００１０】
本発明に係る愛玩動物用汚物処理具において、前記第１着脱部本体の後端と前記第２着脱部本体の後端の押圧は、片手で同時に行い得るとともに、個別に行い得るように構成しても良く、個別に行い得るように構成することにより、帯状のトイレットペーパを一端ずつ挟持させることができる。本発明に係る愛玩動物用汚物処理具は、前記本体部に対して回動可能に装着された把持部をさらに備えており、前記蓋部は、把持部の回動に連動して前記本体部の開口部の開閉を行うよう構成されていることが好ましい。
【００１１】
また、上記第２の目的を達成するため、本発明は、少なくとも本体部の上面の一部を開口するように形成された開口部を有する本体部と、前記本体部に対して回動可能に装着された把持部と、前記把持部が前記本体部の前方側に位置する際に前記開口部を閉口させ、前記把持部が前記本体部の後方側に位置する際に前記開口部を開口させるように構成された蓋部と、を備え、前記把持部は、前記把持部を把持して本体部を持ち上げた際に本体部の前方側に位置するように構成されていることを特徴とする愛玩動物用汚物処理具である。このように構成することにより、把持部を持って本体部を持ち上げると、蓋部は、開口部を閉口させることができ、把持部を本体部の上方に位置させて本体部を置くと、蓋部は、開口部を開口させることができるので、片手で本体部を持ち上げたり、本体部を置くという動作によって、開口部の開閉動作を行うことができる。
【００１２】
この場合、前記把持部は、逆Ｕ字状に形成されており、その両側軸の基端部を中心に本体部の両側面に回動可能に支持されており、前記本体部は、前記把持部を支持する位置よりも後方側がその前方側に比し重くなるように構成されていることが好ましく、前記蓋部は、その前方側が前記把持部の両側軸に対して回動可能に支持されていることが好ましい。
【発明の効果】
【００１３】
以上のように本発明によれば、汚物の後処理が容易な愛玩動物用処理具を提供することができ、また片手で開口部の開閉動作を行うことができる愛玩動物用処理具を提供することができる。
【発明を実施するための最良の形態】
【００１４】
次に、本発明に係る愛玩動物用処理具の実施例について図面に基づいて説明する。図１は、本実施例に係る愛玩動物用処理具の斜視図であり、図２は、その側面図である。図３及び４は、蓋部が開いた状態を示す図１及び２に対応する図である。本実施例に係る愛玩動物用処理具は、開口部１０を有する本体部１２と、逆Ｕ字状に形成されており、その両側軸１４Ａ、１４Ｂの基端部を中心に本体部１２の両側面部１２Ａ、１２Ｂに回動可能に設けられている把持部１４と、把持部１４の回動に連動して本体部１２の開口部１０を開閉する蓋部１６と、蓋部１６の上面部１６Ａ側に設けられ、帯状のトイレットペーパの一端を着脱可能な第１着脱部１８と、本体部１２の底面部１２Ｃ側に設けられ、帯状のトイレットペーパの他端を着脱可能な第２着脱部２０と、を備えている。
【００１５】
開口部１０は、本体部１２の前面の全域及びそれから連続する上面の一部によって形成されている。本体部１２の側面部１２Ａ、１２Ｂは、本体部１２の上面の開口部１０の基端側縁１０Ａの位置から前方に向かって若干先細りとなる傾斜が形成されている。また、本体部１２の底面部１２Ｃの基端側には、一対の脚部２２が設けられており、この脚部２２によって、本体部１２は、前方に傾いた状態で置くことができ、このため、底面部１２Ｃに設けられた第２着脱部２０によって本体部１２の安定性が害されるのを防止することができる。また、本体部１２の底面部１２Ｃの前縁は、側面部１２Ａ、Ｂの前縁よりも前方に若干突出して構成されている。
【００１６】
蓋部１６は、本体部１２の上面の開口部１０を形成する部分を覆う板状の上面部１６Ａと、その上面部１６Ａの前縁から本体部１２の両側面部１２Ａ、１２Ｂの上縁と前縁の角度に合わせて下方に折れ曲がった状態で設けられ、本体部１２の前面の開口部１０を形成する全域を覆う板状の前面部１６Ｂと、上面部１６Ａの両側縁から直角に下方に折れ曲がった状態で設けられ、本体部１２の両側面部１２Ａ、１２Ｂそれぞれを若干覆う板状の側面部１６Ｃ、１６Ｃと、から構成されており、前面部１６Ｂの下縁は、本体部１２の底面部１２の突出した前縁部分に当接するように構成されている。蓋部１６の側面部１６Ｃ、１６Ｃそれぞれの前端部は、把持部１４の両側軸１４Ａ、１４Ｂの略中央にピン部材２４、２４を介して把持部１４に取り付けられており、蓋部１６は、このピン部材２４、２４を中心に把持部１４の両側軸１４Ａ、１４Ｂに対して回動するよう構成されている。
【００１７】
把持部１４の両側軸１４Ａ、１４Ｂの基端部は、ピン部材２６、２６によって本体部１２の両側面部１２Ａ、１２Ｂの略中央下端に取り付けられ、把持部１４は、このピン部材２６、２６を中心に本体部１２に対して回動可能に構成されている。この把持部１４が前方に位置する際に、蓋部１６の上面部１６Ａ及び前面部１６Ｂが、蓋部１６の自重によって本体部１２の開口部１０の全域を覆うことができるように、本体部１２、把持部１４及び蓋部１６の位置が決められる。したがって、蓋部１６によって開口部１０が閉じた状態から把持部１４を後方側に回動させると、蓋部１６は、その上面部１６Ａの裏面が本体部１２の上面の後方側縁に当たる位置まで、後方に移動して、開口部１０を開口することができる。この蓋部１６の上面部１６Ａの裏面が本体部１２の上面の後方側縁に当たる際の把持部１４の位置に対向する本体部１２の両側面部１２Ａ、１２Ｂの位置よりも前方の近接する位置には、把持部１４が前方に移動するのを防止するように外方向に突出する突出部２８、２８が設けられている。この突出部２８、２８は、若干な力を把持部１４に加えて、把持部１４を後方に回動させる際にその回動の妨げない程度の柔軟性及び突出度を有する。したがって、把持部１４を後方に回動させて、把持部１４を突起部２８、２８よりも後方に位置させることは、容易にでき、その場合に把持部１４に前方の力を加えないと、突起部２８、２８によって把持部１４が前方に移動するのが防止され、開口部１０の開口状態を保つことができる。例えば、開口部１０を開口させた状態で、把持部１４を持って本体部１２を持ち上げても、開口状態を保つことができる。逆に、この状態から把持部１４に前方の力を若干加えるだけで、把持部１４を突起部２８、２８よりも前方に移動させることができ、開口部１０を閉口状態とすることができる。
【００１８】
また、本体部１２は、ピン部材２６、２６よりも後方側がその前方側に比し重くなるように構成されている。したがって、把持部１４を持って本体部１２を持ち上げると、本体部の後方側が重くなるように形成されているので、把持部１４は、本体部１２の前方側に移動し、本体部１２の開口部１０を閉口させた状態で本体部１２を持ち上げることができる。
【００１９】
第１着脱部１８は、前方が広がった台形状に形成されたフレーム３０と、フレーム３０を蓋部１６の上面部１６Ａに対して支持する支持部３２と、フレーム３０の前辺部３０Ａが蓋部１６の上面部１６Ａを押圧するようにフレーム３０を付勢するばね３４と、を備えている。フレーム３０は、ピン部材３６によって支持部３２に対して前方から約３分の２の位置を中心に前後方向に揺動可能に支持されており、フレーム３０の前辺部３０Ａが蓋部１６の上面部１６Ａの前縁近傍に位置するように設けられている。このフレーム３０は、ばね３４の付勢力によってその前辺部３０Ａと蓋部１６の上面部１６Ａによって帯状のトイレットペーパＡの一端を挟持できるように構成されている。
【００２０】
また、第２着脱部２０は、第１着脱部１８と同様に前方が広がった台形状に形成されたフレーム３８と、フレーム３８を本体部１２の底面部１２Ｃに対して支持する支持部４０と、フレーム３８の前辺部３８Ａが本体部１２の底面部１２Ｃを押圧するようにフレーム３８を付勢するばね４２と、を備えている。フレーム３８は、ピン部材４４によって支持部４０に対して前方から約３分の２の位置を中心に前後方向に揺動可能に支持されており、フレーム３８の前辺部３８Ａが本体部１２の底面部１２Ｃの前縁近傍に位置するように設けられている。このフレーム３８は、ばね４２の付勢力によってその前辺部３８Ａと本体部１２の底面部１２Ａによって帯状のトイレットペーパＡの他端を挟持できるように構成されている。
【００２１】
第１着脱部１８及び第２着脱部２０によって挟持された帯状のトイレットペーパは、図５に示すように開口部１０が開口状態の際に、本体部１２内が帯状のトイレットペーパで十分に満たされる長さを有することが好ましく、この場合、帯状のトイレットペーパを二重にさせた状態で挟持させても良い。また、開口部１０を閉口状態にする際には、図６に示すように帯状のトイレットペーパＡの両端挟持部分を除き、本体部１２内に収容させておくことが好ましい。
【００２２】
これら第１着脱部１８及び第２着脱部２０は、ばね３４、４２の付勢力に抗してそれぞれの後辺部３０Ｂ、３８Ｂを蓋部１６又は本体部１２の方に押すことによって、帯状のトイレットペーパＡの挟持状態を解除でき、帯状のトイレットペーパＡを本実施例に係る愛玩動物用汚物処理具から取外すことができる。第１着脱部１８及び第２着脱部２０のフレーム３０、３８は、帯状のトイレットペーパＡを取外す際に、片手でそれぞれの後辺部３０Ｂ、３８Ｂを同時に押すことができるように構成されている。
【００２３】
本実施例に係る愛玩動物用汚物処理具において、本体部１２、把持部１４及び蓋部１６など主要部材は、合成樹脂で構成されている。このように合成樹脂で構成することにより、軽量化を図ることができる。
【００２４】
次に、本実施例に係る愛玩動物用汚物処理具の動作について説明する。先ず、開口部１０内が帯状のトイレットペーパで十分に満たされる長さを有する帯状のトイレットペーパＡの両端部を第１着脱部１８及び第２着脱部２０によって挟持させ、帯状のトイレットペーパＡの中央部分を本体部１２内に収容する。次に、把持部１４を把持して、本実施例に係る愛玩動物用汚物処理具を持ち上げると、蓋部１６の側面部１６Ｃ、１６Ｃそれぞれの前端部が、把持部１４に支持されているので、開口部１０が閉口された状態で本実施例に係る愛玩動物用汚物処理具は持ち上げられる。次に、把持部１４を把持した状態で、本体部１２の底面部１２Ｃを地面に置くと、把持部１４の両側軸１４Ａ、１４Ｂの基端部が、本体部１２の両側面部１２Ａ、１２Ｂの略中央下端に取り付けられているので、把持部１４は、後方に回動し、蓋部１６の側面部１６Ｃ、１６Ｃそれぞれの前端部が、把持部１４に支持されているので、蓋部１６は、把持部１４の後方への回動に連動して、後方に移動して開口部１０を開口する。この際、本体部１２内は、帯状のトイレットペーパＡによって満たされている。また、把持部１４Ａ、１４Ｂを突出部２８の後方まで回動しておけば、突出部２８によって把持部１４が前方に回動するのは防止され、例えば、把持部１４を持ち上げても開口部１０の開口状態を維持することができる。そして、この開口状態で本体部１２内のトイレットペーパＡ上に糞をさせる。糞を本体部１２内にできなかった場合であっても、本体部１２は、ちりとり状に形成されているので、例えばへらなどを付属させることによって、容易に地面の上の糞を本体部１２内に取り込むことができる。
【００２５】
トイレットペーパＡ上に糞をさせた後、突出部２８の係止力により強い力で把持部１４を前方に倒すと、突出部２８は、柔軟性を有するので、把持部１４は、突出部２８を超える。その後、把持部２８を把持して本実施例に係る愛玩動物用汚物処理具を持ち上げると、把持部２８が前方に移動し、それに伴って開口部１０が閉口する。その後、本実施例に係る愛玩動物用汚物処理具をその状態でトイレまで持っていく。本実施例に係る愛玩動物用汚物処理具内の糞をトイレに流す際には、例えば左手の平で本体部１２の底面部１２Ａを持ち、把持部１４を右手で後方に回動させて開口部１０を開口し、左手の親指で第１着脱部１８のフレーム３０の後辺３０Ｂを押し、左手の残りの指で第２着脱部２０のフレーム３８の後辺３８Ｂを押して、トイレットペーパＡの挟持状態を解除し、開口部１０を便器に向けて傾けることにより、糞をトイレットペーパとともに便器に流すことができる。
【００２６】
このように、本実施例に係る愛玩動物用汚物処理具によれば、糞をトイレットペーパとともに流すことができるので、その作業は容易であり、また糞がトイレットペーパにしか触れないので、手や愛玩動物用汚物処理具に触れることがないので衛生的である。さらに、高価な専用の紙などを使用せずに、安価なトイレットペーパを使用することができるので、ランニングコストを安く抑えることができる。
【図面の簡単な説明】
【００２７】
【図１】本発明に係る愛玩動物用処理具の実施例の斜視図である。
【図２】本実施例に係る愛玩動物用処理具の側面図である。
【図３】本実施例に係る愛玩動物用処理具の蓋部が開いた状態を示す図１に対応する図である。
【図４】本実施例に係る愛玩動物用処理具の蓋部が開いた状態を示す図２に対応する図である。
【図５】本実施例に係る愛玩動物用処理具に帯状のトイレットペーパが取り付けられた状態を示す図３に対応する図である。
【図６】本実施例に係る愛玩動物用処理具に帯状のトイレットペーパが取り付けられた状態を示す図２に対応する断面図である。
【図７】従来の愛玩動物用処理具の斜視図である。
【符号の説明】
【００２８】
１０   開口部
１２   本体部
１４   把持部
１６   蓋部
１８   第１着脱部
２０   第２着脱部
【図１】
2005117935.tif 000003
【図２】
2005117935.tif 000004
【図３】
2005117935.tif 000005
【図４】
2005117935.tif 000006
【図５】
2005117935.tif 000007
【図６】
2005117935.tif 000008
【図７】
2005117935.tif 000009